(57)【要約】ユーザ端末が、所定の信頼性基準を満たす、他のユーザ端末へ送信されたデータシンボルから、補足的パイロットシンボルを生成するように構成される。補足的パイロットシンボルは、チャネル推定、共分散推定、ＣＱＩ推定などの目的で用いることができる。
2012526435.tif 000002
【特許請求の範囲】
【請求項１】
補足的パイロットシンボルを生成して使用する第１のユーザ端末によって実行される方法であって、
少なくとも１つの他のユーザ端末に送信された未知のデータシンボルを含む受信信号を復調し、復調データシンボルを生成する復調ステップと、
前記復調データシンボルについて信頼性メトリックを判定する判定ステップと、
前記信頼性メトリックが所定の信頼性閾値を満たしている場合、前記復調データシンボルに基づいて補足的パイロットシンボルのセットを生成する生成ステップと
を有することを特徴とする方法。
【請求項２】
前記生成ステップは、復調を行っている間にソフトシンボル推定値からハードシンボル推定値を生成するステップを有することを特徴とする請求項１に記載の方法。
【請求項３】
前記生成ステップは、
復調されたソフトシンボル推定値を復号し、復号ビットストリームを生成するステップと、
前記復号ビットストリームから前記補足的パイロットシンボルを生成するステップと
を有することを特徴とする請求項１に記載の方法。
【請求項４】
前記信頼性メトリックは、信号対干渉雑音比（ＳＩＮＲ）を含み、
前記信頼性閾値は、所定のＳＩＮＲ閾値を含む
ことを特徴とする請求項１に記載の方法。
【請求項５】
前記受信信号に関連付けられている１つ以上の送信パラメータに基づいて前記信頼性閾値を決定するステップをさらに有することを特徴とする請求項１に記載の方法。
【請求項６】
前記受信信号に関連付けられている１つ以上の送信パラメータに基づいて前記信頼性閾値を決定するステップは、
前記受信信号についての拡散係数、変調方式、拡散符号の数、および、符号レートのうち少なくとも１つに基づいて前記信頼性閾値を決定するステップ
を有することを特徴とする請求項５に記載の方法。
【請求項７】
前記受信信号は、複数のユーザ端末によって共用されている共用トラフィックチャネルにおいてデータを受信するようにスケジューリングされている他のユーザ端末に送信された信号であることを特徴とする請求項５に記載の方法。
【請求項８】
前記受信信号に関連付けられている１つ以上の送信パラメータに基づいて前記信頼性閾値を決定するステップは、
共用制御チャネルを介して他のスケジューリングされたユーザ端末に送信されたスケジューリング情報を復号するステップ
を有することを特徴とする請求項７に記載の方法。
【請求項９】
前記スケジューリング情報は、前記スケジューリングされたユーザ端末のユーザ識別情報によってマスクされており、
前記共用制御チャネルを介して他のスケジューリングされたユーザ端末に送信されたスケジューリング情報を復号するステップは、
前記スケジューリング情報をマスク解除するステップ
を有する
ことを特徴とする請求項８に記載の方法。
【請求項１０】
前記スケジューリング情報は、２つのパートを有するスケジューリングメッセージによって送信され、当該２つのパートのうち、第１のパートはスケジューリングされたユーザ端末のユーザ識別情報によってマスクされており、第２のパートはマスクされておらず、かつ、前記スケジューリングされたユーザ端末の当該ユーザ識別情報に対応したチェックコードを含んでいることを特徴とする請求項９に記載の方法。
【請求項１１】
前記スケジューリング情報をマスク解除するステップは、
前記スケジューリングメッセージの前記第２のパートを復号し、前記スケジューリングされたユーザ端末のユーザ識別情報を抽出するステップと、
前記抽出したユーザ識別情報を使用して前記スケジューリングメッセージの前記第１のパートを復号するステップと
を有することを特徴とする請求項１０に記載の方法。
【請求項１２】
前記スケジューリングメッセージの前記第１のパートを復調するステップと、
前記スケジューリングメッセージの前記第２のパートを復号しつつ、前記スケジューリングメッセージの前記第１のパートに対応した復調シンボルを記憶するステップと、
前記共用トラフィックチャネルにおいて他のユーザ端末に送信されたデータシンボルを記憶して、のちに、前記補足的パイロットシンボルを生成する際に使用できるようにするステップと
をさらに有することを特徴とする請求項１１に記載の方法。
【請求項１３】
これから送信されてくるスケジューリングメッセージをマスク解除する際に使用されるリストに、前記抽出したユーザ識別情報を格納するステップをさらに有することを特徴とする請求項１１に記載の方法。
【請求項１４】
前記スケジューリング情報をマスク解除するステップは、
前記第１のユーザ端末と前記共用トラフィックチャネルを共用している１つ以上の他のユーザ端末のユーザ識別情報を備えているリストに格納されているユーザ識別情報を使用して、前記スケジューリング情報を復号するステップ
を有することを特徴とする請求項１０に記載の方法。
【請求項１５】
前記スケジューリング情報をマスク解除するステップは、
前記第１のユーザ端末と前記共用トラフィックチャネルを共用している１つ以上の他のユーザ端末のユーザ識別情報を備えているリストに格納されているユーザ識別情報を使用して、前記スケジューリング情報を復号するステップと、
前記リストに格納されているユーザ識別情報を使用した復号に失敗した場合、前記スケジューリングメッセージの前記第２のパートを復号し、前記スケジューリングされたユーザ端末のユーザ識別情報を抽出するステップと、
前記抽出されたユーザ識別情報を使用して前記スケジューリングメッセージの前記第１のパートを復号するステップと
を有することを特徴とする請求項１０に記載の方法。
【請求項１６】
前記方法はＷＣＤＭＡシステム向けの方法であり、前記共用トラフィックチャネルは、高速ダウンリンク共用チャネル（ＨＳ−ＤＳＣＨ）を含み、前記共用制御チャネルは、高速共用制御チャネルを含むことを特徴とする請求項８に記載の方法。
【請求項１７】
前記受信信号は、共用制御チャネルを介して複数のユーザ端末に送信されることを特徴とする請求項１に記載の方法。
【請求項１８】
前記補足的パイロットシンボルに基づいて、チャネル推定値、共分散推定値、チャネル品質インジケータ推定値、合成重み、および、等価器のタップ重みのうち少なくとも１つを決定するステップをさらに有することを特徴とする請求項１に記載の方法。
【請求項１９】
無線通信システムにおけるユーザ端末向けの受信機であって、
少なくとも１つの他のユーザ端末に送信された受信信号を復調し、復調データシンボルを生成する復調器と、
前記復調データシンボルについて信頼性メトリックを判定する信頼性メトリック推定器と、
所定の信頼性閾値を満たしている前記信頼性メトリックを有した前記復調データシンボルに基づいて補足的パイロットシンボルのセットを生成するパイロットシンボル生成器と
を有することを特徴とする受信機。
【請求項２０】
前記パイロットシンボル生成器は、補足的パイロットシンボルとして使用されるハードシンボル推定値をソフトシンボル推定値から生成することを特徴とする請求項１９に記載の受信機。
【請求項２１】
前記パイロットシンボル生成器は、復号したデータシンボルから補足的パイロットシンボルを生成することを特徴とする請求項１９に記載の受信機。
【請求項２２】
前記信頼性メトリックは、信号対干渉雑音比（ＳＩＮＲ）を含み、
前記信頼性閾値は、所定のＳＩＮＲ閾値を含む
ことを特徴とする請求項１９に記載の受信機。
【請求項２３】
前記受信信号に関連付けられている１つ以上の送信パラメータに基づいて前記信頼性閾値を決定する信頼性閾値算出器をさらに有することを特徴とする請求項１９に記載の受信機。
【請求項２４】
前記信頼性閾値算出器は、前記受信信号についての拡散係数、変調方式、拡散符号の数、および、符号レートのうち少なくとも１つに基づいて前記信頼性閾値を決定することを特徴とする請求項２３に記載の受信機。
【請求項２５】
前記受信信号は、複数のユーザ端末によって共用されている共用トラフィックチャネルにおいてデータを受信するようにスケジューリングされている他のユーザ端末に送信された信号であることを特徴とする請求項２３に記載の受信機。
【請求項２６】
共用制御チャネルを介して送信されたスケジューリング情報を復号し、前記送信パラメータを決定する復号回路をさらに有することを特徴とする請求項２５に記載の受信機。
【請求項２７】
前記スケジューリング情報は、前記スケジューリングされたユーザ端末のユーザ識別情報によってマスクされており、
前記復号回路は、前記スケジューリング情報をマスク解除する
ことを特徴とする請求項２６に記載の受信機。
【請求項２８】
前記スケジューリング情報は、２つのパートを有するスケジューリングメッセージによって送信され、当該２つのパートのうち、第１のパートはスケジューリングされたユーザ端末のユーザ識別情報によってマスクされており、第２のパートはマスクされておらず、かつ、前記スケジューリングされたユーザ端末の当該ユーザ識別情報に対応したチェックコードを含んでいることを特徴とする請求項２７に記載の受信機。
【請求項２９】
前記復号回路は、前記スケジューリングメッセージの前記第２のパートを復号し、前記スケジューリングされたユーザ端末のユーザ識別情報を抽出し、前記抽出したユーザ識別情報を使用して前記スケジューリングメッセージの前記第１のパートを復号することを特徴とする請求項２８に記載の受信機。
【請求項３０】
前記復号回路は、前記スケジューリングメッセージの前記第１のパートを復調し、前記スケジューリングメッセージの前記第２のパートを復号しつつ、前記スケジューリングメッセージの前記第１のパートに対応した復調シンボルをメモリに記憶し、前記共用トラフィックチャネルにおいて他のユーザ端末に送信されたデータシンボルを記憶して、のちに、前記補足的パイロットシンボルを生成する際に使用できるようにすることを特徴とする請求項２９に記載の受信機。
【請求項３１】
これから送信されてくるスケジューリングメッセージをマスク解除する際に使用されるリストに、前記抽出したユーザ識別情報を格納するメモリをさらに有することを特徴とする請求項２９に記載の受信機。
【請求項３２】
前記復号回路は、第１のユーザ端末と前記共用トラフィックチャネルを共用している１つ以上の他のユーザ端末のユーザ識別情報を備えているリストに格納されているユーザ識別情報を使用して、前記スケジューリング情報を復号することを特徴とする請求項２８に記載の受信機。
【請求項３３】
前記復号回路は、
第１のユーザ端末と前記共用トラフィックチャネルを共用している１つ以上の他のユーザ端末のユーザ識別情報を備えているリストに格納されているユーザ識別情報を使用して、前記スケジューリング情報を復号し、
前記リストに格納されているユーザ識別情報を使用した復号に失敗した場合、前記スケジューリングメッセージの前記第２のパートを復号し、前記スケジューリングされたユーザ端末のユーザ識別情報を抽出し、
前記抽出されたユーザ識別情報を使用して前記スケジューリングメッセージの前記第１のパートを復号する
ことを特徴とする請求項２８に記載の受信機。
【請求項３４】
前記受信機はＷＣＤＭＡシステム向けの受信機であり、前記共用トラフィックチャネルは、高速ダウンリンク共用チャネル（ＨＳ−ＤＳＣＨ）を含み、前記共用制御チャネルは、高速共用制御チャネルを含むことを特徴とする請求項２６に記載の受信機。
【請求項３５】
前記受信信号は、共用制御チャネルを介して複数のユーザ端末に送信されることを特徴とする請求項１９に記載の受信機。
【請求項３６】
前記パイロットシンボル生成器が出力した前記補足的パイロットシンボルに基づいて、チャネル推定値、共分散推定値、チャネル品質インジケータ推定値、合成重み、および、等価器のタップ重みのうち少なくとも１つを決定する推定回路をさらに有することを特徴とする請求項１９に記載の受信機。
【発明の詳細な説明】
【技術分野】
【０００１】
本発明は、一般に、無線通信ネットワークにおけるチャネル条件の推定に関し、詳細には、チャネル条件のより正確な推定を可能にする目的でデータシンボルから補足的パイロットシンボルを生成する方法および装置に関する。
【背景技術】
【０００２】
広帯域移動通信システムでは、複数のユーザ端末が上りリンクおよび／または下りリンクチャネルを共用することがある。基地局に配置されたスケジューラは、どのユーザ端末がいずれかの所与の時刻にチャネルを利用すべきかを判定する。例えば、共用チャネルは、時間領域において、連続した時間枠に分割されてもよい。いずれかの所与の時間枠について、スケジューラは、どのユーザ端末が共用チャネル上でデータを送受信することを許可されるべきかを判定する。また、チャネルは、いずれかの所与の時間枠で２つ以上のユーザ端末がチャネルを利用することができるように、周波数領域および符号領域で分割されてもよいだろう。
【０００３】
共用通信チャネルの一例として、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システムにおけるＨＳＰＤＡ（Ｈｉｇｈ  Ｓｐｅｅｄ  Ｄｏｗｎｌｉｎｋ  Ｐａｃｋｅｔ  Ａｃｃｅｓｓ）用のＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）がある。ＨＳＤＰＡ接続を備えたユーザ端末は、ＣＰＩＣＨ（Ｃｏｍｍｏｎ  Ｐｉｌｏｔ  Ｃｈａｎｎｅｌ）上で在圏基地局によって送信されたパイロットシンボルに基づいて、チャネルを推定する。チャネル推定値は、スケジューリングの目的で基地局に報告されるＣＱＩ（Ｃｈａｎｎｅｌ  Ｑｕａｌｉｔｙ  Ｉｎｄｉｃａｔｉｏｎ）を生成するために用いられる。基地局は、ユーザ端末によって報告されるＣＱＩを利用して、スケジューリングを行い、かつ、下りリンク送信用に用いられる符号化方式と変調方式とを選択する。また、ユーザ端末は、チャネル推定値を利用して劣化共分散と合成重みとを演算してもよく、劣化共分散と合成重みとは、シンボル推定値を生成する目的で受信信号の多様な遅延バージョンを合成するためにＲＡＫＥ受信機で用いられるものである。また、チップ等価器受信機は、パイロットシンボルを用いてチャネル追跡フィルタにおいてフィルタ係数を適合させてもよい。
【発明の概要】
【発明が解決しようとする課題】
【０００４】
ＣＰＩＣＨだけに基づくチャネル推定は、雑音が多いことがありうる。主な難点は、チャネル推定および／または共分散推定用として利用可能なタイムスロット毎のパイロットシンボルの数が限られている（ＨＳＤＰＡでは１０）ことである。推定値の雑音が多い場合、所望のブロック誤り率（ＢＬＥＲ）を維持し、過度の再送信を避けることを目的として、ユーザ端末が、ＣＱＩの報告値を減らしてもよいし、基地局が、報告値よりも低い値を用いてもよい。いずれの場合にも、システムスループットの対応する減少が生じる。パイロットシンボルの数を増加させれば、チャネル推定値の信頼性が向上し、それゆえ、ＣＱＩの報告値はより正確な結果となり、従って、システムスループットは増加するであろう。加えて、ユーザ端末は、干渉の抑制の向上から、利得を得るであろう。しかし、パイロットシンボルの数を増加させると、オーバヘッドを増加させ、ユーザデータを搬送するのに利用可能なリソースが減少する。
【課題を解決するための手段】
【０００５】
本発明は、他のユーザ端末への制御チャネルまたはトラヒックチャネル上で送信される未知のデータシンボルから、チャネル推定およびその他の目的で補足的パイロットシンボルを生成するための、ユーザ端末によって実施される方法に関する。全般的な考え方は、同一セルの中の他のユーザ端末へ送信された未知のデータシンボルを復調して、所定の信頼性基準を満たす復調されたデータシンボルを用いて補足的パイロットシンボルを生成することである。詳細には、ユーザ端末が、同一セルの中の１つ以上の他のユーザ端末を対象とする受信信号を復調し、復調されたシンボルについて信頼性メトリックを演算する。復調されたデータシンボルが所定の信頼性基準を満たす場合、復調されたシンボルは、補足的パイロットシンボルを生成するのに用いられる。
【０００６】
本発明の例示的な一実施形態は、補足的パイロットシンボルを生成するための、第１のユーザ端末によって実施される方法を含んでいる。本方法は、少なくとも１つの他のユーザ端末へ送信された未知のデータシンボルを含む受信信号を復調して、復調されたデータシンボルを生成する工程と、復調されたデータシンボルについての信頼性メトリックを判定する工程と、信頼性メトリックが所定の信頼性閾値を満たす場合、復調されたデータシンボルに基づいて一組の補足的パイロットシンボルを生成する工程とを含んでいる。
【０００７】
本発明の例示的な別の実施形態は、他のユーザ端末へ送信されたデータシンボルから補足的パイロットシンボルを生成するように構成されたユーザ端末用の受信機を含んでいる。受信機は、復調されたデータシンボルを生成するための少なくとも１つの他のユーザ端末へ送信された受信信号を復調するための復調器と、復調されたデータシンボルについての信頼性メトリックを判定するための信頼性メトリック推定器と、所定の信頼性メトリック閾値を満たす信頼性メトリックを有する復調されたデータシンボルから、一組の補足的パイロットシンボルを生成するためのパイロットシンボル生成器とを備えている。
【図面の簡単な説明】
【０００８】
【図１】例示的な無線通信ネットワークを示す図である。
【図２】データシンボルから補足的パイロットシンボルを生成するための例示的な方法を示す図である。
【図３】ユーザ端末が現時点でＨＳ−ＤＳＣＨ上でデータを受信するようにスケジュールされていない時の、ＷＣＤＭＡシステムにおけるＨＳ−ＳＣＣＨの第１の部分を復号するための例示的な方法を示す図である。
【図４】ＷＣＤＭＡシステムにおいてデータシンボルから補足的パイロットシンボルを生成するための例示的な方法を示す図である。
【図５Ａ】他のユーザへ送信された未知のデータシンボルから補足的パイロットシンボルを生成することが可能な、ＷＣＤＭＡシステムのための例示的なユーザ端末を示す図である。
【図５Ｂ】他のユーザへ送信された未知のデータシンボルから補足的パイロットシンボルを生成することが可能な、ＷＣＤＭＡシステムのための例示的なユーザ端末を示す図である。
【発明を実施するための形態】
【０００９】
図１は、広帯域移動サービスを１つ以上のユーザ端末１００に提供するための例示的な無線通信ネットワーク１０を示す図である。本明細書において、ユーザ端末という用語は、通信ネットワーク１０に無線接続する能力を有するいずれかの可搬の通信デバイスのことを言う。ユーザ端末という用語は、制限なく、セルラー電話、スマートフォン、携帯情報端末、ラップトップコンピュータ、ハンドヘルドコンピュータを含んでいる。無線通信ネットワーク１０は、無線通信ネットワーク１０の各セルの範囲内の無線カバレージと、コアネットワーク３０へのアクセスとを提供する、複数の基地局２０を含んでいる。次に、コアネットワーク３０は、１つ以上の外部パケットデータネットワーク４０、例えばインターネットに接続しており、そして、外部パケットデータネットワーク４０と、ユーザ端末１００にサービス提供する基地局２０との間でデータをルーティングする処理を担当する。
【００１０】
通常、移動通信ネットワーク１０の各セルの中の基地局２０は、パイロット信号を送信し、それが、ユーザ端末１００に、チャネルを推定してＣＱＩ（Ｃｈａｎｎｅｌ  Ｑｕａｌｉｔｙ  Ｉｎｄｉｃａｔｉｏｎ：チャネル品質指標）を生成することを可能にしている。以下で詳細に記述するが、典型的にＣＱＩは、基地局２０に報告され、通信チャネルを共用するユーザ端末１００のスケジューリングのために基地局２０によって用いられる。また、ユーザ端末１００の中の受信機のタイプに応じて、ユーザ端末１００は、パイロットシンボルを用いて、さまざまなバージョンの受信信号を合成するための合成重みを演算したり、干渉抑制のための劣化共分散推定値を生成したり、および／または、チャネル追跡フィルタを適合させたりすることがある。
【００１１】
本発明の実施形態によって、チャネル推定値と、ＣＱＩ推定値と、劣化共分散推定値と、および／またはフィルタ係数推定値とを、そのような推定値の精度を向上させる補足的パイロットシンボルを提供することによって、向上させることができる。詳細には、本発明を組み込んだユーザ端末１００は、基地局２０によって同一セルの中の他のユーザ端末１００へ送信された未知のデータシンボルから、補足的パイロットシンボルを生成してもよい。一部の実施形態では、未知のデータシンボルは、他のユーザ端末を対象とするトラヒックチャネル上で送信されたデータシンボルを含んでいてもよい。また、未知のデータシンボルは、共用制御チャネル上で複数のユーザ端末へ送信された制御チャネルシンボルを含んでいてもよい。
【００１２】
一例として、本発明の一実施形態を、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システムの文脈で記述しよう。当業者なら、本書で記述した原理が、他の標準、例えばＷｉＭＡＸ（ＩＥＥＥ８０２．１６）標準およびＬＴＥ（Ｌｏｎｇ  Ｔｅｒｍ  Ｅｖｏｌｕｔｉｏｎ）として知られる３ＧＰＰ標準にも適用されうることを理解するであろう。
【００１３】
ＷＣＤＭＡシステムは、パケットデータサービス用のＨＳＤＰＡ（Ｈｉｇｈ  Ｓｐｅｅｄ  Ｄｏｗｎｌｉｎｋ  Ｐａｃｋｅｔ  Ａｃｃｅｓｓ）モードを備えている。ＨＳＤＰＡの主な目的は、高速スケジューリング、高速リンクアダプテーション、物理レイヤ自動反復要求（ＨＡＲＱ）、パケットサイズの小型化、マルチコード送信のような高機能を用いてデータスループットを増加させることである。ＨＳＤＰＡは、パケットデータのバースト性を活用して、複数のユーザ間で利用可能な無線リソースを共用し、それによってこれらのリソースの利用を効率化する。
【００１４】
下りリンク送信については、ＨＳＤＰＡは、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ：高速ダウンリンク共用チャネル）と呼ばれる共用チャネルを使用する。ＨＳ−ＤＳＣＨは、複数のユーザ端末１００によって共用される時間および符号多重化チャネルである。ＨＳ−ＤＳＣＨは、ＴＴＩ（Ｔｒａｎｓｍｉｓｓｉｏｎ  Ｔｉｍｅ  Ｉｎｔｅｒｖａｌ：送信時間間隔）と呼ばれる２ミリ秒の時間間隔に分割される。ＴＴＩは、ＨＳ−ＤＳＣＨ上でユーザ端末１００をスケジューリングするのに用いられる基本単位である。いずれかの所与のＴＴＩの間、基地局２０は、ＨＳ−ＤＳＣＨ上で用いられる最大１５のチャネライゼーションコードを割り当てる。基地局２０においてスケジューラは、各ＴＴＩにおいてどのユーザ端末１００にサービス提供するかを、各ユーザ端末１００によって報告されたチャネル条件（例えばＣＱＩ）、各ユーザ端末１００についてバッファ内で処理を待っているデータ量、各ユーザ端末１００への平均スループット、およびいずれかのサービス品質（ＱｏＳ）保証といった要因に基づいて判定する。スケジューリングアルゴリズムは、典型的にはネットワークオペレータによって決められる。
【００１５】
所与のＴＴＩにおいてデータを受信するようにスケジューリングされているユーザ端末１００のＩＤおよび送信フォーマットが、ＷＣＤＭＡ標準ではＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）と呼ばれる共用下りリンク制御チャネル上で送信されるスケジューリングメッセージの中でユーザ端末１００へ送信される。ＨＳ−ＳＣＣＨは、対応するＴＴＩの開始前に下りリンクのシグナリングを送信するのに用いられる固定レートチャネル（６０ｋｂｐｓ、拡散係数＝１２８）である。ＨＳ−ＳＣＣＨは、２つのパート（部分）に分かれている。第１のパート（部分）は、ＨＳ−ＤＳＣＨの復調を開始するためにユーザ端末１００によって必要とされる厳密な情報を搬送する。第２のパート（部分）は、それほど時間が厳密ではない情報、例えばＣＲＣ（Ｃｙｃｌｉｃ  Ｒｅｄｕｎｄａｎｃｙ  Ｃｈｅｃｋ：周期的冗長チェック）、トランスポートブロックフォーマット、ＨＡＲＱプロセス情報などを搬送する。基地局２０は、対応するＴＴＩの開始の２タイムスロット前に、ＨＳ−ＳＣＣＨを送信する。ＨＳ−ＳＣＣＨの第１の部分は、対応するＴＴＩの中でスケジューリングされているユーザ端末１００を識別する、ユーザ端末固有マスクを使って送信される。
【００１６】
ＨＳＤＰＡ接続を備えたユーザ端末１００は、ＣＰＩＣＨ（Ｃｏｍｍｏｎ  Ｐｉｌｏｔ  Ｃｈａｎｎｅｌ）上で在圏基地局２０によって送信されたパイロットシンボルに基づいてチャネルを推定する。チャネル推定値は、上記のように、スケジューリングの目的で基地局２０に報告されるＣＱＩ（チャネル品質指標）を生成するのに用いられる。また、ユーザ端末１００は、チャネル推定値を利用して劣化共分散と合成重みとを演算してもよく、劣化共分散と合成重みとは、シンボル推定値を生成する目的で受信信号の多様な遅延バージョンを合成するために用いられる。ＷＣＤＭＡシステムでは、チャネル推定用のスロット毎のパイロットシンボルの数は限られている（ＨＳＤＰＡについては１０）。従って、ＣＰＩＣＨだけに基づいて生成されたチャネル推定値および共分散推定値は、時には雑音が多い可能性がある。
【００１７】
本発明によって、同一セルの中の他のユーザへ送信される未知のデータシンボルを用いて、チャネル推定の精度を向上させるための補足的パイロットシンボルを生成することができる。図２は、同一セルの中の他のユーザへ送信されたデータシンボルから、補足的パイロットシンボルを生成するための例示的な方法２００を示す図である。全般的な考え方は、他のユーザへ送信された未知のデータシンボルを復調して、所定の信頼性基準を満たす復調されたデータシンボルを用いて補足的パイロットシンボルを生成することである。ユーザ端末１００は、同一セルの中の１つ以上の他のユーザ端末１００を対象とする受信信号を復調する（ブロック２０２）。受信信号は、ＨＳ−ＤＳＣＨ上で他のユーザ端末へ送信されるトラヒックチャネル信号であってもよい。あるいは、受信信号は、ＨＳ−ＳＣＣＨ上で１つ以上のユーザ端末へ送信される制御チャネル信号であってもよい。次いで、復調されたシンボルは、それらが所定の信頼性基準を満たしているかどうか判定するためにテストされる。詳細には、ユーザ端末１００は、復調されたデータシンボルについて信頼性メトリックを決定し（ブロック２０４）、その信頼性メトリックを信頼性閾値と比較する（ブロック２０６）。一例として、ユーザ端末１００は、復調されたシンボルの信号対干渉プラス雑音比（ＳＩＮＲ）を所定のＳＩＮＲ閾値と比較してもよい。信頼性メトリックを満たしているならば、復調されたシンボルは、補足的パイロットシンボルを生成するために用いられる（ブロック２０８）。
【００１８】
復調されたシンボルについてのＳＩＮＲ推定値は、複数の異なる方法で判定することができる。第１に、ユーザ端末１００は、他のユーザのための復調されたシンボルを用いて、従来のやり方でＳＩＮＲ推定値を演算してもよい。他の実施形態では、ＣＰＩＣＨとＨＳ−ＤＳＣＨの電力比はすべてのユーザについて同一であるという仮定に基づいて、ＨＳ−ＤＳＣＨ上でユーザ端末に送信された信号についてのＳＩＮＲ推定値（ユーザ端末自身のＳＩＮＲ）を、復調されたシンボルについてのＳＩＮＲの近似値として用いてもよい。ユーザ端末自身のＳＩＮＲが復調されたシンボルについてのＳＩＮＲの近似値として用いられた場合、ユーザ端末１００は、他のユーザについての電力比が異なる可能性について、ＳＩＮＲ推定値を補正してもよい。補正因子が、例えば、（このユーザ／チャネルについてセットアップされた場合の）逆拡散器のうちの１つの「フィンガ」だけの電力を推定することによって判定され、ＣＰＩＣＨについての（同じフィンガの）対応する推定値とそれを比べてもよいだろう。
【００１９】
一部の実施形態では、復調器によって作り出されたソフトシンボル値をハード値に変換することによって、補足的パイロットシンボルが生成される。他の実施形態では、ソフト値が復号されてもよく、そして、復号されたデータビットが、元の対応する変調シンボルにマッピングされる。次いで、再生された変調シンボルを、補足的パイロットシンボルとして用いることができる。補足的パイロットシンボルは、下りリンクチャネルのチャネル計数を推定し、スケジューリングの目的でＣＱＩを演算するのに用いられてもよい。また、補足的パイロットシンボルは、チャネルの劣化共分散を推定し、ＲＡＫＥ受信機についての合成重みを演算し、またはチップ等価器受信機についてフィルタ重みを演算するのに用いることもできる。
【００２０】
一実施形態では、ユーザ端末１００は、所定のＳＩＮＲ閾値と比較するための信頼性メトリックとして、復調されたシンボルのＳＩＮＲを用いる。ＳＩＮＲ閾値は、送信されたシンボルの変調および符号レートの関数として判定されてもよい。高符号レートでの送信は、一般に、目標ユーザについてのシンボルＳＩＮＲが高く、典型的には、目標ユーザ端末１００での信頼性のある生のシンボルを決定する場合に呼び出される。同様に、他のユーザを目標とするシンボルを受信するユーザ端末１００は、それらのシンボルについての自分自身のＳＩＮＲが十分高い場合、受信シンボルを補足的パイロットシンボルとして用いることができる。多様な変調および符号レートについてのＳＩＮＲ閾値を、ユーザ端末１００のメモリの中にルックアップテーブルの形で記憶することができる。
【００２１】
以下の表１は、受信データシーケンスが復号される実施形態についての例示的なルックアップテーブルを示す。テーブルには、変調および符号レートによる指標が付けられている。表の中のシンボルは、対応する変調および符号レートについての閾値ＳＩＮＲを示す。ユーザ端末１００の瞬間的なＳＩＮＲが、ＳＩＮＲ閾値を満たしている場合、復調されたシンボルは、補足的パイロットシンボルとして使用するのに十分信頼性があると考えられてもよい。ハード判定（硬判定）が復調されたシンボルに適用される実施形態の場合、符号レートの大きさは除かれる。
【００２２】
【表１】
2012526435.tif 000003
【００２３】
ＨＳＤＰＡについては、ＨＳ−ＤＳＣＨ上での送信についての変調および符号レートについての情報が、ＨＳ−ＳＣＣＨ上でユーザ端末１００へ送信される。上記のように、ＨＳ−ＳＣＣＨは２つの部分に分かれている。トランスポートフォーマットについての情報は、ＨＳ−ＳＣＣＨの第１の部分で送信されるのだが、これは、対応するＴＴＩの中でＨＳ−ＤＳＣＨ上でスケジュールされたユーザ端末１００を識別する、ユーザ端末固有マスクを使って送信される。第２の部分は、ＣＲＣフィールドを含んでおり、これもマスクされているが、第２の部分の符号化と多重化との残りは、ユーザ端末には非依存である。所与のユーザ端末１００が、ＨＳ−ＤＳＣＨ上でデータを受信するようにスケジュールされる場合、それ自身のユーザ端末ＩＤ（ＵＩＤ）は、ＨＳ−ＳＣＣＨの第１の部分と、第２の部分におけるＣＲＣとをマスクするのに用いられる。この場合、第１の部分は、従来のやり方で復号されてもよい。しかし、ユーザ端末１００は、典型的には、他のユーザ端末のＵＩＤを知らない。従って、所与のユーザ端末１００が現時点でスケジュールされていない場合、ＨＳ−ＳＣＣＨの第１の部分を復号して変調および符号レート情報を抽出することを目的として、スケジュールされたユーザ端末１００についてのＵＩＤを突き止める必要がある。
【００２４】
図３は、本発明の一部の実施形態において、ユーザ端末１００が現時点ではＨＳ−ＤＳＣＨ上でデータを受信するようにスケジュールされていない場合に、ＨＳ−ＳＣＣＨの第１の部分をデマスキング（マスク解除）して復号するために用いられる例示的な方法４００を示す図である。第１に、ユーザ端末１００は、本書ではＸ２およびＭＣ２と表示される２つの部分から成る復号されたシーケンスを得るために、ＨＳ−ＳＣＣＨの第２の部分を復号する（ブロック４０２）。Ｘ２は、基地局２０によってＨＳ−ＳＣＣＨの第２の部分において送信される制御データである。ＭＣ２は、マスキングされたＣＲＣであり、これは、スケジュールされたＵＩＤを使ってマスキングされていたものである。復調されたシンボルは正確に受信されたと想定されるため、誤りはない。この仮定に基づいて、スケジュールされていないユーザ端末１００は、受信制御データＸ２が所与の場合に、予想されるＣＲＣを演算することができる（ブロック４０４）。次いでＭＣ２は、予想されるＣＲＣおよびＭＣ２をオペランドとして用いて、ＸＯＲ演算によってデマスキングされてもよい。ＸＯＲ演算の結果、スケジュールされたユーザ端末１００の想定されるＵＩＤが生成される（ブロック４０６）。次いで、スケジュールされたユーザのための演算されたＵＩＤを用いて、ＨＳ−ＳＣＣＨの第１の部分がデマスキングされて復号され、変調およびコード割り当て情報が検索される。
【００２５】
本発明の一部の実施形態では、ユーザ端末１００が、自分がスケジュールされていない場合でもＨＳ−ＳＣＣＨを連続的に監視してＨＳ−ＳＣＣＨの第２の部分を復号することによって、アクティブなＵＩＤのリストを作成してもよい。ＨＳ−ＳＣＣＨの第２の部分を復号することによって未知のＵＩＤが発見された場合、それが、ユーザ端末１００のメモリの中に記憶された現時点でアクティブなＵＩＤのリストに追加されてもよい。畳み込み復号器の出力品質メトリックを用いて第２の部分の復号が成功したかどうか判定することによって、不正確なＵＩＤを検出してリストに追加する可能性が削減されてもよい。復号器の品質メトリックが閾値を下回る場合、復号結果は、信頼性が低いと考えられてもよく、検出されたＵＩＤは破棄される。アクティブでないかまたは誤って復号されたＵＩＤを除去するため、リストが消去されてもよい。例えば、リストの中に記憶されたＵＩＤに、最大存続期間が割り当てられてもよい。指定された時限の間に同じＵＩＤが検出されない場合、リストからそれが削除されてもよい。
【００２６】
本発明の一部の実施形態では、スケジュールされていないユーザ端末１００は、ＨＳ−ＳＣＣＨの第２の部分を復号して、前述したように、ＨＳ−ＳＣＣＨの第２の部分のＣＲＣをデマスキングすることによって、スケジュールされたユーザ端末１００のＵＩＤを判定してもよい。次いで、ユーザ端末１００は、同じＴＴＩの中で２スロット早く送信された第１の部分に戻り、ＵＩＤの知識を使って変調およびコード割り当て情報を抽出してもよい。この手法は、第２の部分の復号が行われている間、一部の信号がバッファリングされるか記憶されることを必要としてもよい。ＨＳ−ＳＣＣＨの第１の部分が復調され、復調されたシンボルが、第２の部分の復号が完了するまで記憶されてもよい。また、ＨＳ−ＤＳＣＨ上でスケジュールされたユーザ端末１００へ送信された信号を記憶することが必要となりうる。ＨＳ−ＤＳＣＨ上でのデータ送信の変調は知られていないため、逆拡散および復調の前に受信したチップシーケンスが、記憶されてもよい。一部の実施形態では、ＵＥは、最初に、アクティブなＵＩＤのリストにあるＵＩＤを用いてＨＳ−ＳＣＣＨの第１の部分を復号することを試行してもよく、そして、既知のＵＩＤを使ったＨＳ−ＳＣＣＨの第１の部分の復号が失敗した場合に限って、データストレージと第２の部分の情報検索に頼ってもよい。
【００２７】
上記の例示的実施形態は、他のユーザへ送信されたデータシンボルを補足的パイロットシンボルとして使用する。当業者であれば、セル内の他の下りリンクトラヒックも、補足的パイロットシンボルを生成するのに利用されうることを理解するであろう。例えば、ＨＳ−ＳＣＣＨ、Ｅ−ＡＧＣＨ、Ｅ−ＨＩＣＨ、Ｅ−ＲＧＣＨ，Ｓ−ＣＣＰＣＨのような制御チャネル上で送信されたデータシンボルも、補足的パイロットシンボルを生成するのに用いることができる。また、ＷＣＤＭＡのリリース'９９の中の下りリンク物理チャネル上で送信されたデータシンボルを用いることもできるであろう。これらのチャネルはすべて、ＱＰＳＫ変調を使用しており、それらの符号レートは周知であるかまたは容易に判定されうる。シンボルＳＩＮＲは、当分野では周知であるように判定されてもよく、ＳＩＮＲ閾値は、上記のようにルックアップテーブルの手法を用いて判定されてもよい。
【００２８】
本発明の一部の実施形態では、十分に信頼性があるとみなされた復調されたデータシンボルを、データシンボルを復号することなく、補足的パイロットシンボルをとして用いることができる。復調プロセスによってソフトシンボル値（軟判定シンボル値）が生じる場合、ソフトシンボル値がハード判定値に変換されてもよく、それを補足的パイロットシンボルとして用いることもできる。
【００２９】
本発明による、他のユーザのためのトランスポートフォーマットと変調情報とを復元する方法も、他の無線通信システム、例えばＬＴＥシステムにおいて用いられてもよい。ＬＴＥでは、制御情報は、ＨＳ−ＳＣＣＨの第２の部分と同様に、メッセージ部分とＣＲＣ部分とから成るＰＤＣＣＨ上で送信される。制御メッセージＸが、ユーザ固有のシーケンスＳを使ってスクランブルされて、ＳＸを生じる。ＣＲＣ値Ｃが演算され、ユーザ固有のマスクＭを使ってマスキングされて、ＭＣを生じる。シーケンス［ＳＸ  ＭＣ］が符号化されて送信される。次いで受信機が、受信したシーケンスを復号し、ＳＸを抽出し、そして予想されるＣＲＣフィールドを再生することができる。前述同様に、予想されるＣＲＣおよび受信されたＭＣフィールドがＸＯＲ演算され、マスキングシーケンスが検索される。マスクが与えられれば、対応するスクランブリングシーケンスＳが導出されうる。最後に、メッセージフィールドがデスクランブルされて、トランスポートフォーマット情報を伴った制御メッセージが復元される。
【００３０】
本発明の別の実施形態では、復調されたデータシンボルが復号されて、復号されたビットストリームを生成してもよい。補足的パイロットシンボルが、ビットストリームを再符号化した上で、符号化されたビットを対応する変調シンボルにマッピングすることによって、復号されたビットストリームから生成されてもよい。復号されたビットからパイロットシンボルを生成することは、一般に、復調だけによって生成されたパイロットシンボルより信頼性が高いであろう。トレードオフは、同じ処理間隔の間に複数のデータソースが復号される必要があることに因る遅延の増加である。そのような遅延の量は、数回の復号の繰り返しの中で復号される可能性の高いデータブロックを選択するための第２の信頼性メトリックを用いて、軽減することができる。
【００３１】
復調されたシンボルではなく復号されたビットを用いて補足的パイロットシンボルを生成することは、ユーザ端末がアイドルモードにある場合に好ましいことがある。ユーザ端末がアイドルモードにある場合、ユーザ端末は自分のデータを復調または復号することに関心がないのだから、補足的パイロットシンボルを生成する目的で他のユーザを対象としたデータストリームを復号するのに利用可能な処理時間が、より多い。また、この手法は、永続性のスケジューリングまたはＣＰＣモードで用いられてもよく、その場合、ユーザ端末には周期的に下りリンクのリソースが割り当てられ、ユーザ端末は、定期的に起動して下りリンクのデータを受信する。
【００３２】
図４は、ＷＣＤＭＡ通信システムにおいて補足的パイロットシンボルを生成するためにユーザ端末１００によって実装される例示的な方法３００を示す。この実施形態では、ユーザ端末１００は、ＨＳ−ＤＳＣＨ上で自分自身および／または他のユーザ端末１００へ送信されたデータシンボルを用いて、補足的パイロットシンボルを生成してもよい。ユーザ端末１００は、自分のＨＳＤＰＡ信号を復調する方が容易なので、ユーザ端末１００は、自分自身のデータシンボルに十分に信頼性がある場合には、それらを補足的パイロットシンボルとして用いる。自分自身のデータシンボルに十分な信頼性がない場合、ユーザ端末１００は、他のユーザへ送信されたデータシンボルに十分に信頼性があるならば、これらのデータシンボルを使うであろう。
【００３３】
方法３００は、ユーザ端末１００がＨＳＤＰＡ上でデータシンボルを受信する時に始まる。ユーザ端末１００は、自分自身のＨＳＤＰＡ信号を復調して、復調されたシンボルについての信頼性メトリックを判定する（ブロック３０２）。ユーザ端末１００は、復調されたシンボルに十分に信頼性があるかどうかを判定するために、信頼性メトリックを上述の信頼性閾値と比較する（ブロック３０４）。そうであれば、ユーザ端末１００は、自分自身のデータシンボルを補足的パイロットシンボルとして用いる（３０６）。そうでなければ、ユーザ端末１００は、他のＨＳＤＰＡユーザのためのトランスポートフォーマットを判定する（ブロック３０８）。他のユーザのためのトランスポートフォーマットは、図３に示すように判定されてもよい。トランスポートフォーマットが分かると、ユーザ端末１００は、他のＨＳＤＰＡユーザへ送信された信号を復調し、復調されたシンボルの信頼性を決定する（ブロック３１０）。ユーザ端末１００は、他のユーザシンボルに十分に信頼性があるかどうかを判定するために、他のユーザシンボルについての信頼性メトリックを信頼性閾値と比較する（ブロック３１２）。そうであれば、ユーザ端末１００は、他のＨＳＤＰＡユーザを対象としたデータシンボルを、補足的パイロットシンボルとして用いる（ブロック３１４）。他のユーザデータシンボルに十分な信頼性がない場合、ユーザ端末１００は、ＣＰＩＣＨ上で送信されたパイロットシンボルを用いる（ブロック３１６）。通常のパイロットシンボルおよび／または補足的パイロットシンボルを用いて、チャネル推定値、ＣＱＩ推定値、共分散推定値、合成重み、またはフィルタ重み推定値を生成することができる（ブロック３１８）。
【００３４】
図５Ａおよび５Ｂは、例示的な一実施形態による例示的なユーザ端末１００を示す。ユーザ端末１００は、受信機フロントエンド１０２と、ＨＳ−ＤＳＣＨ処理ユニット１０４と、プライマリパイロットシンボル処理ユニット１０６と、補足的パイロットシンボル処理ユニット１０８と、ＨＳ−ＳＣＣＨ処理ユニット１１０と、制御ユニット１１２とを含んでいる。受信機フロントエンド１０２は、基地局２０から送信される信号を受信するためのアンテナ（図示せず）に連結されている。受信機フロントエンド１０２は、受信信号を増幅してフィルタリングし、受信信号をベースバンド周波数にダウンコンバートし、そして、受信信号をサンプリングしてデジタルベースバンド信号を生成する。ＨＳ−ＤＳＣＨ上で受信された信号は、ＨＳ−ＤＳＣＨ処理ユニット１０４へ入力される。ＣＰＩＣＨ（ｃｏｍｍｏｎ  ｐｉｌｏｔ  ｃｈａｎｎｅｌ：共通パイロットチャネル）で受信されたパイロットシンボルは、プライマリパイロットシンボル処理ユニット１０６へ入力される。補足的パイロットシンボルとして使用するために選択されたデータは、補足的パイロットシンボル処理ユニット１０８へ入力される。ＨＳ−ＳＣＣＨで受信された信号は、ＨＳ−ＳＣＣＨ処理ユニット１１０へ入力される。
【００３５】
ＨＳ−ＤＳＣＨ処理ユニット１０４は、逆拡散ユニット１０４ａと、合成ユニット１０４ｂと、復号器１０４ｃと、ＨＳ−ＤＳＣＨ  ＳＩＮＲ推定ユニット１０４ｄとを含んでいる。ＨＳ−ＤＳＣＨ逆拡散ユニット１０４ａは、ＨＳ−ＤＳＣＨ上でユーザ端末へ送信された信号を逆拡散して、逆拡散されたＨＳ−ＤＳＣＨシンボルを生成する。復調ユニット１０４ｂは、逆拡散されたＨＳ−ＤＳＣＨシンボルをプライマリパイロットシンボルと、補足的パイロットシンボルと、またはそれら両方とに基づいて算出された合成重みを用いて変調して、変調されたＨＳ−ＤＳＣＨシンボルを生成し、それらはＨＳ−ＤＳＣＨ復号器１０４ｃへ渡されて復号される。ＨＳ−ＤＳＣＨ  ＳＩＲ推定ユニット１０４ｄは、選択された合成重みに基づいてＨＳ−ＤＳＣＨについてのＳＩＮＲの推定値を演算する。
【００３６】
プライマリパイロットシンボル処理ユニット１０６は、ＣＰＩＣＨ逆拡散ユニット１０６ａおよび最初の合成重みユニット１０６ｂを備えている。ＣＰＩＣＨ逆拡散ユニット１０６ａは、ＣＰＩＣＨ上で受信したパイロット信号を逆拡散し、逆拡散されたパイロットシンボルは、ＨＳ−ＤＳＣＨ合成ユニット１０４ｂによって用いられうる合成重みを算出するために、最初の重み算出ユニット１０６ｂによって用いられる。
【００３７】
補足的パイロットシンボル処理ユニット１０８は、補足的データ逆拡散ユニット１０８ａと、補足的データ復調ユニット１０８ｂと、補足的データ復号ユニット１０８ｄと、補足的パイロット生成ユニット１０８ｅと、精緻化された重み算出ユニット１０８ｆとを備えている。補足的データ逆拡散ユニット１０８ａは、別のユーザへ送信された制御データかまたはユーザデータかのいずれかであってよいが、補足的パイロットシンボルとして使用するために選択された送信されたシンボルを逆拡散する。補足的データ復調ユニット１０８ｂは、逆拡散されたデータシンボルを合成するが、それは任意で、補足的データ復号ユニット１０８ｄによって復号されてもよい。補足的パイロット生成ユニット１０８ｅは、補足的データ合成ユニット１０８ｂによる、復調されたシンボル出力から、または代わりに、補足的データ復号ユニット１０８ｄによる、復号されたデータ出力から、補足的パイロットシンボルを生成する。精緻化された重み算出ユニット１０８ｆは、ＨＳ−ＤＳＣＨ合成ユニット１０４ｂによって用いられうる精緻化された合成重みを演算する。
【００３８】
ＨＳ−ＳＣＣＨ処理ユニット１１０はＨＳ−ＤＳＣＨ上で送信される信号のトランスポートフォーマットを判定するためにＨＳ−ＳＣＣＨを復調および復号し、それが、制御ユニット１１２へ提供される。制御ユニットは、ＣＰＩＣＨ  ＳＩＲ推定ユニット１１２ａと、補足的パイロットシンボルＳＩＮＲ推定ユニット１１２ｂと、信頼性分析およびパイロットソース選択ユニット１１２ｃと、選択回路１１２ｄとを含んでいる。ＣＰＩＣＨ  ＳＩＮＲ推定ユニット１１２ａおよび補足的パイロットシンボルＳＩＮＲ推定ユニット１１２ｂは、ＳＩＮＲ推定値を信頼性分析およびパイロットソース選択ユニット１１２ｃに提供し、信頼性分析およびパイロットソース選択ユニット１１２ｃが、ＨＳ−ＤＳＣＨ復調ユニット１０４ｂによって用いられる合成重みを演算するために使用するプライマリパイロットシンボルまたはセカンダリパイロットシンボルを選択する。ＣＰＩＣＨ  ＳＩＮＲ推定ユニット１１２ａは、ＣＰＩＣＨ上で受信されたパイロットシンボルに基づいてＳＩＮＲ推定値を演算する。補足的データＳＩＲ推定ユニット１１２ｂは、補足的パイロットシンボルとして選択された復調されたデータシンボルか、または、前述のＨＳ−ＤＳＣＨのＳＩＮＲかのいずれかに基づいて、ＳＩＮＲ推定値を演算してもよい。信頼性分析およびパイロットソース選択ユニット１１２ｃは、プライマリパイロットシンボルに基づく最初の合成重みか、または補足的パイロットシンボルに基づく精緻化された合成重みかのいずれかをＨＳ−ＤＳＣＨ復調ユニット１０４ｂに選択的に出力する選択回路１１２ｄを制御する。当業者であれば、図５に示す選択回路１１２ｄは象徴的であり、ソフトウェアの中に実装されてもよいことを理解するであろう。
【００３９】
節電を目的として、推定のための補足的パイロットシンボルの使用は、所定のイベントによってかまたは所定の時刻にトリガされてもよい。例えば、ユーザ端末１００は、応答が予想されている上りリンク上でＨＴＴＰ要求または他のデータを送信する直前に、補足的パイロットシンボルを生成してもよい。一部の実施形態では、補足的パイロットシンボルは、周期的に、またはスケジュールされた時刻に、生成されてもよい。
【００４０】
本発明は、もちろん、本発明の本質的な特徴から逸脱することなく、本書で具体的に述べられたものとは別のやり方で実行されうる。本実施形態は、すべての点で例示的であって、限定的であるとみなされるべきではなく、添付の請求項の意味範囲および同等範囲内に入るすべての変更は、その中に包含されることが意図されている。
【図１】
2012526435.tif 000004
【図２】
2012526435.tif 000005
【図３】
2012526435.tif 000006
【図４】
2012526435.tif 000007
【図５Ａ】
2012526435.tif 000008
【図５Ｂ】
2012526435.tif 000009
【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
補足的パイロットシンボルを生成して使用する第１のユーザ端末によって実行される方法であって、
共用チャネルを使用する他のユーザ端末のトランスポートフォーマットを判別する判別ステップ（３０８）と、
前記トランスフォーマットが判明すると、前記他のユーザ端末に送信された未知のデータシンボルを含む受信信号を復調し、復調データシンボルを生成する復調ステップ（３１０）と、
前記復調データシンボルについて信頼性メトリックを判定する判定ステップ（３１２）と、
前記信頼性メトリックが所定の信頼性閾値を満たしている場合、前記復調データシンボルに基づいて補足的パイロットシンボルのセットを生成する生成ステップ（３１４）と
を有し、前記受信信号は、共用制御チャネルを介して複数のユーザ端末に送信された信号であることを特徴とする方法。
【請求項２】
前記生成ステップ（３１４）は、復調を行っている間にソフトシンボル推定値からハードシンボル推定値を生成するステップを有することを特徴とする請求項１に記載の方法。
【請求項３】
前記生成ステップ（３１４）は、
復調されたソフトシンボル推定値を復号し、復号ビットストリームを生成するステップと、
前記復号ビットストリームから前記補足的パイロットシンボルを生成するステップと
を有することを特徴とする請求項１に記載の方法。
【請求項４】
前記信頼性メトリックは、信号対干渉雑音比であるＳＩＮＲを含み、
前記信頼性閾値は、所定のＳＩＮＲ閾値を含む
ことを特徴とする請求項１に記載の方法。
【請求項５】
前記受信信号に関連付けられている１つ以上の送信パラメータに基づいて前記信頼性閾値を決定するステップ（３１２）をさらに有することを特徴とする請求項１に記載の方法。
【請求項６】
前記受信信号に関連付けられている１つ以上の送信パラメータに基づいて前記信頼性閾値を決定するステップ（３１２）は、
前記受信信号についての拡散係数、変調方式、拡散符号の数、および、符号レートのうち少なくとも１つに基づいて前記信頼性閾値を決定するステップ
を有することを特徴とする請求項５に記載の方法。
【請求項７】
前記受信信号は、複数のユーザ端末によって共用されている共用トラフィックチャネルにおいてデータを受信するようにスケジューリングされている他のユーザ端末に送信された信号であることを特徴とする請求項５に記載の方法。
【請求項８】
前記受信信号に関連付けられている１つ以上の送信パラメータに基づいて前記信頼性閾値を決定するステップ（３１２）は、
共用制御チャネルを介して他のスケジューリングされたユーザ端末に送信されたスケジューリング情報を復号するステップ
を有することを特徴とする請求項７に記載の方法。
【請求項９】
前記スケジューリング情報は、前記スケジューリングされたユーザ端末のユーザ識別情報によってマスクされており、
前記共用制御チャネルを介して他のスケジューリングされたユーザ端末に送信されたスケジューリング情報を復号するステップは、
前記スケジューリング情報をマスク解除するステップ
を有する
ことを特徴とする請求項８に記載の方法。
【請求項１０】
前記スケジューリング情報は、２つのパートを有するスケジューリングメッセージによって送信され、当該２つのパートのうち、第１のパートはスケジューリングされたユーザ端末のユーザ識別情報によってマスクされており、第２のパートはマスクされておらず、かつ、前記スケジューリングされたユーザ端末の当該ユーザ識別情報に対応したチェックコードを含んでいることを特徴とする請求項９に記載の方法。
【請求項１１】
前記スケジューリング情報をマスク解除するステップは、
前記スケジューリングメッセージの前記第２のパートを復号し、前記スケジューリングされたユーザ端末のユーザ識別情報を抽出するステップ（４０２）と、
前記抽出したユーザ識別情報を使用して前記スケジューリングメッセージの前記第１のパートを復号するステップ（４０６）と
を有することを特徴とする請求項１０に記載の方法。
【請求項１２】
前記スケジューリングメッセージの前記第１のパートを復調するステップと、
前記スケジューリングメッセージの前記第２のパートを復号しつつ、前記スケジューリングメッセージの前記第１のパートに対応した復調シンボルを記憶するステップと、
前記共用トラフィックチャネルにおいて他のユーザ端末に送信されたデータシンボルを記憶して、のちに、前記補足的パイロットシンボルを生成する際に使用できるようにするステップと
をさらに有することを特徴とする請求項１１に記載の方法。
【請求項１３】
これから送信されてくるスケジューリングメッセージをマスク解除する際に使用されるリストに、前記抽出したユーザ識別情報を格納するステップをさらに有することを特徴とする請求項１１に記載の方法。
【請求項１４】
前記スケジューリング情報をマスク解除するステップは、
前記第１のユーザ端末と前記共用トラフィックチャネルを共用している１つ以上の他のユーザ端末のユーザ識別情報を備えているリストに格納されているユーザ識別情報を使用して、前記スケジューリング情報を復号するステップ
を有することを特徴とする請求項１０に記載の方法。
【請求項１５】
前記スケジューリング情報をマスク解除するステップは、
前記第１のユーザ端末と前記共用トラフィックチャネルを共用している１つ以上の他のユーザ端末のユーザ識別情報を備えているリストに格納されているユーザ識別情報を使用して、前記スケジューリング情報を復号するステップと、
前記リストに格納されているユーザ識別情報を使用した復号に失敗した場合、前記スケジューリングメッセージの前記第２のパートを復号し、前記スケジューリングされたユーザ端末のユーザ識別情報を抽出するステップと、
前記抽出されたユーザ識別情報を使用して前記スケジューリングメッセージの前記第１のパートを復号するステップと
を有することを特徴とする請求項１０に記載の方法。
【請求項１６】
前記方法はＷＣＤＭＡシステム向けの方法であり、前記共用トラフィックチャネルは、高速ダウンリンク共用チャネルであるＨＳ−ＤＳＣＨを含み、前記共用制御チャネルは、高速共用制御チャネルを含むことを特徴とする請求項８に記載の方法。
【請求項１７】
前記補足的パイロットシンボルに基づいて、チャネル推定値、共分散推定値、チャネル品質インジケータ推定値、合成重み、および、等価器のタップ重みのうち少なくとも１つを決定するステップ（３１８）をさらに有することを特徴とする請求項１に記載の方法。
【請求項１８】
無線通信システムにおけるユーザ端末（１００）向けの受信機であって、
共用チャネルを使用する他のユーザ端末の送信パラメータを判別するように構成された処理ユニット（１１０）と、
前記トランスフォーマットが判明すると、前記他のユーザ端末に送信された受信信号を復調し、復調データシンボルを生成する復調器（１０４ｂ）と、
前記復調データシンボルについて信頼性メトリックを判定する信頼性メトリック推定器（１１２ｃ）と、
所定の信頼性閾値を満たしている前記信頼性メトリックを有した前記復調データシンボルに基づいて補足的パイロットシンボルのセットを生成するパイロットシンボル生成器（１０８ｅ）と
を有し、前記受信信号は、共用制御チャネルを介して複数のユーザ端末に送信された信号であることを特徴とする受信機。
【請求項１９】
前記パイロットシンボル生成器（１０８ｅ）は、補足的パイロットシンボルとして使用されるハードシンボル推定値をソフトシンボル推定値から生成することを特徴とする請求項１８に記載の受信機。
【請求項２０】
前記パイロットシンボル生成器（１０８ｅ）は、復号したデータシンボルから補足的パイロットシンボルを生成することを特徴とする請求項１８に記載の受信機。
【請求項２１】
前記信頼性メトリックは、信号対干渉雑音比（ＳＩＮＲ）を含み、
前記信頼性閾値は、所定のＳＩＮＲ閾値を含む
ことを特徴とする請求項１８に記載の受信機。
【請求項２２】
前記受信信号に関連付けられている１つ以上の送信パラメータに基づいて前記信頼性閾値を決定する信頼性閾値算出器をさらに有することを特徴とする請求項１８に記載の受信機。
【請求項２３】
前記信頼性閾値算出器は、前記受信信号についての拡散係数、変調方式、拡散符号の数、および、符号レートのうち少なくとも１つに基づいて前記信頼性閾値を決定することを特徴とする請求項２２に記載の受信機。
【請求項２４】
前記受信信号は、複数のユーザ端末によって共用されている共用トラフィックチャネルにおいてデータを受信するようにスケジューリングされている他のユーザ端末に送信された信号であることを特徴とする請求項２２に記載の受信機。
【請求項２５】
共用制御チャネルを介して送信されたスケジューリング情報を復号し、前記送信パラメータを決定する復号回路をさらに有することを特徴とする請求項２４に記載の受信機。
【請求項２６】
前記スケジューリング情報は、前記スケジューリングされたユーザ端末のユーザ識別情報によってマスクされており、
前記復号回路は、前記スケジューリング情報をマスク解除する
ことを特徴とする請求項２５に記載の受信機。
【請求項２７】
前記スケジューリング情報は、２つのパートを有するスケジューリングメッセージによって送信され、当該２つのパートのうち、第１のパートはスケジューリングされたユーザ端末のユーザ識別情報によってマスクされており、第２のパートはマスクされておらず、かつ、前記スケジューリングされたユーザ端末の当該ユーザ識別情報に対応したチェックコードを含んでいることを特徴とする請求項２６に記載の受信機。
【請求項２８】
前記復号回路は、前記スケジューリングメッセージの前記第２のパートを復号し、前記スケジューリングされたユーザ端末のユーザ識別情報を抽出し、前記抽出したユーザ識別情報を使用して前記スケジューリングメッセージの前記第１のパートを復号することを特徴とする請求項２７に記載の受信機。
【請求項２９】
前記復号回路は、前記スケジューリングメッセージの前記第１のパートを復調し、前記スケジューリングメッセージの前記第２のパートを復号しつつ、前記スケジューリングメッセージの前記第１のパートに対応した復調シンボルをメモリに記憶し、前記共用トラフィックチャネルにおいて他のユーザ端末に送信されたデータシンボルを記憶して、のちに、前記補足的パイロットシンボルを生成する際に使用できるようにすることを特徴とする請求項２８に記載の受信機。
【請求項３０】
これから送信されてくるスケジューリングメッセージをマスク解除する際に使用されるリストに、前記抽出したユーザ識別情報を格納するメモリをさらに有することを特徴とする請求項２８に記載の受信機。
【請求項３１】
前記復号回路は、第１のユーザ端末と前記共用トラフィックチャネルを共用している１つ以上の他のユーザ端末のユーザ識別情報を備えているリストに格納されているユーザ識別情報を使用して、前記スケジューリング情報を復号することを特徴とする請求項２７に記載の受信機。
【請求項３２】
前記復号回路は、
第１のユーザ端末と前記共用トラフィックチャネルを共用している１つ以上の他のユーザ端末のユーザ識別情報を備えているリストに格納されているユーザ識別情報を使用して、前記スケジューリング情報を復号し、
前記リストに格納されているユーザ識別情報を使用した復号に失敗した場合、前記スケジューリングメッセージの前記第２のパートを復号し、前記スケジューリングされたユーザ端末のユーザ識別情報を抽出し、
前記抽出されたユーザ識別情報を使用して前記スケジューリングメッセージの前記第１のパートを復号する
ことを特徴とする請求項２７に記載の受信機。
【請求項３３】
前記受信機はＷＣＤＭＡシステム向けの受信機であり、前記共用トラフィックチャネルは、高速ダウンリンク共用チャネルであるＨＳ−ＤＳＣＨを含み、前記共用制御チャネルは、高速共用制御チャネルを含むことを特徴とする請求項２５に記載の受信機。
【請求項３４】
前記パイロットシンボル生成器が出力した前記補足的パイロットシンボルに基づいて、チャネル推定値、共分散推定値、チャネル品質インジケータ推定値、合成重み、および、等価器のタップ重みのうち少なくとも１つを決定する推定回路をさらに有することを特徴とする請求項１８に記載の受信機。
【手続補正２】
【補正対象書類名】明細書
【補正対象項目名】０００４
【補正方法】変更
【補正の内容】
【０００４】
ＣＰＩＣＨだけに基づくチャネル推定は、雑音が多いことがありうる。主な難点は、チャネル推定および／または共分散推定用として利用可能なタイムスロット毎のパイロットシンボルの数が限られている（ＨＳＤＰＡでは１０）ことである。推定値の雑音が多い場合、所望のブロック誤り率（ＢＬＥＲ）を維持し、過度の再送信を避けることを目的として、ユーザ端末が、ＣＱＩの報告値を減らしてもよいし、基地局が、報告値よりも低い値を用いてもよい。いずれの場合にも、システムスループットの対応する減少が生じる。パイロットシンボルの数を増加させれば、チャネル推定値の信頼性が向上し、それゆえ、ＣＱＩの報告値はより正確な結果となり、従って、システムスループットは増加するであろう。加えて、ユーザ端末は、干渉の抑制の向上から、利得を得るであろう。しかし、パイロットシンボルの数を増加させると、オーバヘッドを増加させ、ユーザデータを搬送するのに利用可能なリソースが減少する。
米国特許出願公開第２００９／００８０５０６号明細書は、受信信号を等価処理するための非パイロットの基準チャネルを利用する受信機を開示している。基準生成器は、等価処理された信号から１つ以上の所定のデータチャネルを復号し、復号した各データチャネルのデータに硬判定を適用し、各復号したチャネルにおける送信された元の符号シーケンスを再生成する。
米国特許出願公開第２００８／０１９２７２０号明細書は、既知の基準リソースを使用してリソースマッピングに対して第１のチャネル推定アルゴリズムを適用し、初期のチャネル推定値を取得するように設定可能なチャネル推定器を備えた装置を開示している。当該チャネル推定器は、既知の基準リソースと新規のリソースとを使用してリソースマッピングに対して第２のチャネル推定アルゴリズムを適用し、修正されたチャネル推定値を取得するように設定可能である。
【国際調査報告】
2012526435.tif 000010
2012526435.tif 000011
2012526435.tif 000012